(57)【要約】  タバコ陳列システム１０００は、複数のフレームユニット３００を上下方向に連結することができ、そのフレームユニット３００の各々に複数のトレーユニット２００を上下方向に離間した配置で保持させることができる。そのトレーユニット２００の各々に複数のマガジンユニット１００を左右方向に配列させて保持させることができ、そのマガジンユニット１００の各々に複数のタバコパックＴを前後方向に配列させて保持させることができる。このため、上下左右に配列させて陳列するタバコパックＴのレイアウトを自在に変更することができ、マガジンユニット１００に収容できない形態のタバコカートンＫなどでも陳列することができる。このように、陳列するタバコパックＴのレイアウトなどを各種に変更することができる構造のタバコ陳列システム１０００を提供する。
2008041358.tif 000002
【特許請求の範囲】
【請求項１】
販売されるタバコパックを陳列するためのタバコ陳列システムであって、
前後方向に細長い上面開口のボックス状に形成されていて前後方向に配列された複数の前記タバコパックを保持する形状の複数のマガジンユニットと、
上面開口のボックス状に形成されていて左右方向に配列された複数の前記マガジンユニットを着脱自在に保持する形状の複数のトレーユニットと、
前面開口のボックス状に形成されていて上下方向に離間した配置で複数の前記トレーユニットを着脱自在に保持する形状の複数のフレームユニットと、
複数の前記フレームユニットを上下方向に連結するフレーム連結機構と、
を有するタバコ陳列システム。
【請求項２】
前記マガジンユニットとして、保持する前記タバコパックの個数とともに前後長が相違する複数種類があり、
前記トレーユニットとして、複数種類の前記マガジンユニットに対応して前後長が相違する複数種類がある請求項１に記載のタバコ陳列システム。
【請求項３】
前記トレーユニットとして、保持する前記マガジンユニットの個数とともに左右幅が相違する複数種類があり、
前記フレームユニットとして、複数種類の前記トレーユニットに対応して左右幅が相違する複数種類がある請求項１または２に記載のタバコ陳列システム。
【請求項４】
前記フレームユニットとして、保持する前記トレーユニットの個数とともに上下高が相違する複数種類がある請求項１ないし３の何れか一項に記載のタバコ陳列システム。
【請求項５】
前後方向に扁平な平板状に形成されていて前面に所定形状の凹凸が形成されている複数のウォールユニットと、
複数の前記ウォールユニットを上下方向に連結するウォール連結機構と、
前記ウォールユニットの前記凹凸に着脱自在に係合する係合機構が後部に形成されていて前記トレーユニットを保持する複数のトレーアタッチメントとを、
さらに有する請求項１ないし４の何れか一項に記載のタバコ陳列システム。
【請求項６】
前後方向に扁平な平板状に形成されていて前面に所定形状の凹凸が形成されている複数のウォールユニットと、
複数の前記ウォールユニットを上下方向に連結するウォール連結機構と、
前記ウォールユニットの前記凹凸に着脱自在に係合する係合機構が後部に形成されていて前記トレーユニットを保持する複数のトレーアタッチメントとを、さらに有し、
前記トレーアタッチメントとして複数種類の前記トレーユニットに対応して左右幅が相違する複数種類があり、
前記ウォールユニットの左右幅が複数種類の前記トレーアタッチメントの少なくとも一つの左右幅に対応している請求項３に記載のタバコ陳列システム。
【請求項７】
少なくとも上面が平坦で前面が開閉自在なボックス状のストッカユニットを、さらに有し、
前記ストッカユニットとして前記上面の左右幅が複数種類の前記フレームユニットと同等な複数種類がある請求項３または６に記載のタバコ陳列システム。
【請求項８】
前記フレーム連結機構は、前記フレームユニットの上面と下面とに装着されている面ファスナからなる請求項１ないし７の何れか一項に記載のタバコ陳列システム。
【請求項９】
前記フレームユニットは、下面に少なくとも一対のフレーム凹部が形成されており、前記フレーム凹部に個々に係合する少なくとも一対のフレーム凸部が上面に形成されている請求項１ないし８の何れか一項に記載のタバコ陳列システム。
【請求項１０】
前記フレームユニットは、前面形状が矩形の枠状となるように曲折された金属の板材からなり前後方向に配列されている複数の本体フレームと、前記トレーユニットを支持する前後方向に細長いレール状に形成された金属の板材からなり一対ずつ上下方向に配列されて複数の前記本体フレームの内側面に接合されている複数の支持フレームと、を有する請求項１ないし９の何れか一項に記載のタバコ陳列システム。
【請求項１１】
前記トレーユニットは、下面の両側部にトレー凸部が形成されており、
前記フレームユニットは、前記トレー凸部が係合するガイド凹部が前記支持フレームに形成されている請求項１０に記載のタバコ陳列システム。
【請求項１２】
前記フレームユニットは、交互に前後反転されて前記本体フレームが前後方向に隣接する配置で複数が左右方向に配列されると各々の前記ガイド凹部の前後位置が同一となる請求項１１に記載のタバコ陳列システム。
【請求項１３】
交互に前後反転されて左右方向に配列された複数の前記フレームユニットの前後方向に隣接する前記本体フレームを保持する左右連結機構を、さらに有する請求項１２に記載のタバコ陳列システム。
【請求項１４】
前記タバコパックが直方体状に形成されており、
パッケージされた複数の前記タバコパックからなる直方体状のタバコカートンがあり、
前記トレーユニットは、左右方向に細長く配置された前記タバコカートンが載置される形状に形成されている請求項１ないし１３の何れか一項に記載のタバコ陳列システム。
【請求項１５】
前記マガジンユニットは、前記タバコパックが載置される底面に前後方向にスライド自在に配置されているスライダ部材と、前記スライダ部材を弾発的に前方に付勢している付勢機構と、を有し、
少なくとも前記スライダ部材がスライド移動する範囲では前記底面が凸部を有しない平面からなる請求項１ないし１４の何れか一項に記載のタバコ陳列システム。
【請求項１６】
前記トレーユニットの底面に着脱自在に装着されるスライダユニットを、さらに有し、
前記スライダユニットは、前後方向に細長いガイドレールと、前記ガイドレールを前記トレーユニットの底面に着脱自在に装着する着脱機構と、前記ガイドレールにスライド自在に支持されているスライダ部材と、前記スライダ部材を弾発的に前方に付勢している付勢機構と、を有する請求項１ないし１５の何れか一項に記載のタバコ陳列システム。
【発明の詳細な説明】
【技術分野】
【０００１】
本発明は、販売されるタバコパックを陳列するためのタバコ陳列システムに関し、特に、コンビニエンスストアなどで利用されるタバコ陳列システムに関する。
【背景技術】
【０００２】
現在、いわゆるコンビニエンスストアなどの店舗では、タバコパックを陳列して販売している。なお、ここで云うタバコパックとは、実際に喫煙される紙巻タバコではなく、複数の紙巻タバコを収容している直方体状のパッケージを意味している。【０００３】
タバコパックを陳列するタバコ陳列システムは、例えば、複数のマガジンユニットと一個のシステムフレームからなる。マガジンユニットは、例えば、無色透明な樹脂により、前後方向に細長い上面開口のボックス状に形成されている。【０００４】
マガジンユニットは、立設された状態のタバコパックが前後方向に配列された状態で上方から収容される。なお、マガジンユニットには、スライダ部材が底面に前後方向にスライド自在に装着されている。【０００５】
より詳細には、マガジンユニットの底部には、前後方向に細長い開口孔が形成されている。その開口孔の左右両側には上方に突出したリブが形成されている。そして、この一対のリブと開口孔にスライダ部材が前後方向にスライド自在に装着されている。【０００６】
さらに、スライダ部材の後部には、付勢機構となる巻回された板バネが装着されている。その板バネの一端はスライダ部材から引き出されてマガジンユニットの底部前方に装着されている。【０００７】
このため、前後方向にスライド自在なスライダ部材が、板バネにより弾発的に前方に付勢されている。従って、マガジンユニットに収容された複数のタバコパックは、スライダ部材により最前部に押圧される。【０００８】
システムフレームは、複数のマガジンユニットを上下左右に配列して保持する。システムフレームは、複数のガイドレールと一個の本体フレームからなる。ガイドレールは、一対でマガジンユニットの両側部を保持する。本体フレームは、例えば、金属棒で立体形状に形成されている。本体フレームの要所に複数のガイドレールが一対ずつ固定されている。【０００９】
上述のようなタバコ陳列システムでは、例えば、２０個のマガジンユニットが、４行５列などの配列でシステムフレームに装着される。そのマガジンユニットの各々に、例えば、１０個のタバコパックが収容される。【００１０】
タバコパックは各面のサイズが相違する直方体状に形成されており、その最大面を代表面として銘柄などが表記されている。そして、このようなタバコ陳列システムでは、無色透明なマガジンユニットにタバコパックが立設した状態で収容されるので、そのタバコパックの代表面が前面に位置する状態で陳列される。従って、タバコ陳列システムは、例えば、２０種類のタバコパックを陳列しながら、各々１０個ずつ収容するようなことができる。【００１１】
タバコパックを販売するときには、マガジンユニットの最前の位置から上方に抜き出せばよい。その場合、マガジンユニットに収容されているタバコパックはスライダ部材により前方に押圧される。このため、マガジンユニットの最前の位置からタバコパックが抜き出されても、その位置にタバコパックが配置された状態が維持される。【００１２】
タバコ陳列システムにタバコパックを補充するときには、システムフレームからマガジンユニットが取り外される。そのマガジンユニットにタバコパックが収容され、このタバコパックが収容されたマガジンユニットがシステムフレームに装着される。このため、システムフレームに固定されているマガジンユニットにタバコパックを補充するような煩雑な作業が必要ない。【００１３】
また、上述のようなタバコ陳列システムでは、例えば、システムフレームからマガジンユニットを取り外すことにより、そのマガジンユニットを洗浄したり清掃することもできる。
【特許文献１】特開平１０−１５１０４７号公報
【発明の開示】
【発明が解決しようとする課題】
【００１４】
前述のようにタバコパックは代表面を前面として陳列することが要求されている。このため、タバコパックを代表面を前面として上下左右に配列する場合、その前面の位置が一致していることが好ましい。【００１５】
そこで、これを実現するように従来のタバコ陳列システムは、システムフレームの全体形状が固定されている。このため、例えば、設置したい空間が小さいと設置できないことがある。一方、設置空間が大きいと、デッドスペースが発生する。【００１６】
つまり、従来のタバコ陳列システムでは、設置する空間の変化などに柔軟に対応することができない。このため、店舗の空間を最大限に有効利用しながら、効果的な売場を構築するようなことができない。【００１７】
従って、従来は店舗はタバコパックを多様に陳列することができなかった。このため、店舗が積極的にタバコパックの陳列形態を工夫して訴求効果が良好な売場を構築するようなことがなかった。同様に、店舗にタバコパックを供給する企業なども、多様な陳列形態を提案するようなことができなかった。【００１８】
さらに、従来のタバコ陳列システムは、充分な数量のタバコパックを陳列するために大型化されている。このため、従来のタバコ陳列システムは、全体に大型で重量もある。従って、店舗に搬入して設置することも容易ではない。【００１９】
例えば、コンビニエンスストアは、２４時間営業の店舗が多い。このため、タバコ陳列システムの搬入や設置を、顧客に店舗を開放している状態で実行する必要がある。換言すると、タバコ陳列システムの搬入や設置を迅速に省スペースで実行する必要がある。しかし、従来のタバコ陳列システムは、これが困難である。【００２０】
また、従来は顧客にタバコパックを訴求するため、例えば、タバコ陳列システムに宣伝用のパーツを装着するなどしている。しかし、換言するとタバコパックの訴求効果を向上させるために、従来は宣伝パーツなどを必要としている。【００２１】
従来のタバコ陳列システムでは、上述のように簡単に迅速に搬入して設置することも困難であり、設置場所にもタバコパックの陳列形態にも柔軟性がなく、訴求効果が高い売場を演出するようなことができない。【００２２】
本発明は上述のような課題に鑑みてなされたものであり、全体形状や陳列するタバコパックのレイアウトなどを各種に変更することができる構造のタバコ陳列システムを提供するものである。
【課題を解決するための手段】
【００２３】
本発明のタバコ陳列システムは、販売されるタバコパックを陳列するためのタバコ陳列システムであって、前後方向に細長い上面開口のボックス状に形成されていて前後方向に配列された複数のタバコパックを保持する形状の複数のマガジンユニットと、上面開口のボックス状に形成されていて左右方向に配列された複数のマガジンユニットを着脱自在に保持する形状の複数のトレーユニットと、前面開口のボックス状に形成されていて上下方向に離間した配置で複数のトレーユニットを着脱自在に保持する形状の複数のフレームユニットと、複数のフレームユニットを上下方向に連結するフレーム連結機構と、を有する。【００２４】
従って、本発明のタバコ陳列システムでは、フレーム連結機構により複数のフレームユニットを上下方向に連結することができ、そのフレームユニットの各々に複数のトレーユニットを上下方向に離間した配置で保持させることができる。そのトレーユニットの各々に複数のマガジンユニットを左右方向に配列させて保持させることができ、そのマガジンユニットの各々に複数のタバコパックを前後方向に配列させて保持させることができる。このため、種類ごとに前後方向に配列させた複数種類のタバコパックを上下左右に配列させて陳列するようなことができる。その場合、トレーユニットに保持させるマガジンユニットの個数および配置、フレームユニットに保持させるトレーユニットの個数および配置、上下方向に連結するフレームユニットの個数、左右方向に配列するフレームユニットの個数、が変更自在である。このため、上下左右に配列させて陳列するタバコパックのレイアウトが自在に変更される。特に、フレームユニットにトレーユニットでマガジンユニットを装着する。このため、例えば、マガジンユニットやトレーユニットとして前後長が相違する複数種類を用意した場合でも、フレームユニットとトレーユニットとで上下左右に配列するマガジンユニットの前面の位置を一致させることができる。【００２５】
なお、本発明では上下以外に前後左右の方向も規定しているが、これは本発明の構成要素の相対関係を簡単に説明するために便宜的に規定したものであり、本発明を実施する場合の製造時や使用時の方向を限定するものではない。【００２６】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００２７】
本発明のタバコ陳列システムでは、トレーユニットに保持させるマガジンユニットの個数および配置、フレームユニットに保持させるトレーユニットの個数および配置、上下方向に連結するフレームユニットの個数、左右方向に配列するフレームユニットの個数、を自在に変更することができる。このため、店舗に簡単に迅速に搬入して設置することができる。さらに、設置場所にもタバコパックの陳列形態にも柔軟性があるので、訴求効果が高い売場を演出するようなことができる。特に、マガジンユニットやトレーユニットとして前後長が相違する複数種類を用意した場合でも、フレームユニットとトレーユニットとで上下左右に配列するマガジンユニットの前面の位置を一致させることができる。このため、タバコパックを美麗に陳列することができる。
【図面の簡単な説明】
【００２８】
上述した目的、および、その他の目的、特徴および利点は、以下に述べる好適な実施の形態、および、それに付随する以下の図面によって、さらに明らかになる。
【図１】本発明の実施の形態のタバコ陳列システムの外観を示す斜視図である。
【図２】二種類のマガジンユニットの外観を示す斜視図である。
【図３】マガジンユニットにタバコパックが収容される状態を示す分解斜視図である。
【図４】マガジンユニットにタバコパックが収容された状態を示す斜視図である。
【図５】タバコパックが収容されたマガジンユニットが四種類のトレーユニットの一つにセットされる状態を示す分解斜視図である。
【図６】タバコパックが収容されたマガジンユニットが四種類のトレーユニットの一つにセットされる状態を示す分解斜視図である。
【図７】四種類のトレーユニットの一つを示す斜視図である。
【図８】タバコパックが収容されたマガジンユニットが四種類のトレーユニットの一つにセットされる状態を示す分解斜視図である。
【図９】四種類のフレームユニットの一つを示す斜視図である。
【図１０】四種類のフレームユニットの一つを示す斜視図である。
【図１１】四種類のフレームユニットの一つを示す斜視図である。
【図１２】四種類のフレームユニットの一つを示す斜視図である。
【図１３】タバコパックがマガジンユニットで収容されたトレーユニットが四種類のフレームユニットの一つにセットされる状態を示す分解斜視図である。
【図１４】左右方向に配列された複数のフレームユニットとトレーユニットとの関係を示す平面図である。
【図１５】左右方向に配列された複数のフレームユニットが左右連結機構であるクリップ部材とファスナ部材とで連結される状態を示す分解斜視図である。
【図１６】一変形例のストッカユニットを有するタバコ陳列システムの外観を示す斜視図である。
【図１７】他の変形例の演出パーツを有するタバコ陳列システムの外観を示す分解斜視図である。
【図１８】さらに他の変形例のスライダユニットの外観を示す斜視図である。
【図１９】スライダユニットがトレーユニットに装着された状態を示す斜視図である。
【図２０】さらに他の変形例の樹脂パネルを利用してトレーユニットにタバコパックを収容する状態を示す平面図である。
【図２１】さらに他の変形例のメッシュユニットを利用してタバコパックのキャンペーンパックを陳列する状態を示す斜視図である。
【図２２】さらに他の変形例のウォールユニットを利用したタバコ陳列システムの外観を示す斜視図である。
【図２３】二種類のウォールユニットの外観を示す斜視図である。
【図２４】四種類のトレーアタッチメントの二つの外観を示す斜視図である。
【図２５】四種類のトレーアタッチメントの二つの外観を示す斜視図である。
【図２６】トレーユニットがトレーアタッチメントでウォールユニットに装着される状態を示す分解斜視図である。
【図２７】さらに他の変形例のウォールユニットを利用してストッカユニットを有するタバコ陳列システムの外観を示す斜視図である。
【図２８】さらに他の変形例のフレームアタッチメントでフレームユニットがウォールユニットに装着される状態を示す分解斜視図である。
【図２９】さらに他の変形例のバスケットユニットがウォールユニットに装着される状態を示す分解斜視図である。
【図３０】さらに他の変形例のシャフトユニットがウォールユニットに装着される状態を示す分解斜視図である。
【図３１】さらに他の変形例の陳列シミュレータの外観を示す平面図である。
【図３２】陳列シミュレータが利用された状態を示す平面図である。
【図３３】さらに他の変形例の陳列シミュレータの外観を示す平面図である。
【発明を実施するための最良の形態】
【００２９】
本発明の実施の一形態を図面を参照して以下に説明する。本実施の形態のタバコ陳列システム１０００は、図１に示すように、販売されるタバコパックＴを陳列するために利用される。【００３０】
このため、タバコ陳列システム１０００は、図１ないし各図に示すように、前後方向に細長い上面開口のボックス状に形成されていて前後方向に配列された複数のタバコパックＴを保持する形状の複数のマガジンユニット１００と、上面開口のボックス状に形成されていて左右方向に配列された複数のマガジンユニット１００を着脱自在に保持する形状の複数のトレーユニット２００と、前面開口のボックス状に形成されていて上下方向に離間した配置で複数のトレーユニット２００を着脱自在に保持する形状の複数のフレームユニット３００と、複数のフレームユニット３００を上下方向に連結するフレーム連結機構と、を有する。【００３１】
より詳細には、タバコ陳列システム１０００は、タバコパックＴ、複数のタバコパックＴがパックされたタバコカートンＫ、タバコパックＴがオマケとともにパックされたキャンペーンパックＰ、等を陳列する。なお、このキャンペーンパックＰは、例えば、厚紙で形成された簡易什器Ｆとともに店舗に提供される。【００３２】
現在、タバコパックＴは、上下高に多少の高低はあるものの、一般的に前後長と左右幅が共通した直方体状に形成されている。そして、本実施の形態では、タバコパックＴの最大面を前面および後面、最小面を上面および下面、と規定する。【００３３】
なお、一般的にタバコパックＴは前面(および後面)に銘柄などが表記されている。このため、その前面が前方に位置する適正な方向の状態で陳列されることが好ましい。そして、マガジンユニット１００は、図２ないし図４に示すように、上述のように方向が適正な状態の複数のタバコパックＴを前後方向に配列した状態で収容する。【００３４】
ただし、本実施の形態のタバコ陳列システム１０００では、図２に示すように、前後長が大きく１３個のタバコパックＴを保持するマガジンユニット１００ａと、前後長が小さく７個のタバコパックＴを保持するマガジンユニット１００ｂと、がある。【００３５】
なお、マガジンユニット１００は、無色透明な樹脂で形成されている。また、マガジンユニット１００の前端および後端には、上面が開口したポケット１０１，１０２が形成されている。【００３６】
前方のポケット１０１には、例えば、顧客に提示するタバコパックＴの値札などが収容される。後方のポケット１０２には、例えば、店員が確認するタバコパックＴの情報カードなどが収容される。【００３７】
マガジンユニット１００の底部には、前後方向に細長い開口孔１０４が形成されており、この開口孔１０４にスライダ部材１１０が前後方向にスライド自在に装着されている。【００３８】
図３に示すように、スライダ部材１１０は、巻回された板バネ１１１が付勢機構として後部に装着されている。この板バネ１１１の一端はスライダ部材１１０の底面から引き出されてマガジンユニット１００の前部に装着されている。【００３９】
このため、スライダ部材１１０は板バネ１１１により弾発的に前方に付勢されている。なお、スライダ部材１１０から引き出された板バネ１１１は、マガジンユニット１００の開口孔１０４の内部に位置するため、マガジンユニット１００に収容されるタバコパックＴの底面に接触しない。【００４０】
マガジンユニット１００の底面後部には、ストッパ段部１０５が形成されている。このストッパ段部１０５に係合することにより、スライダ部材１１０は板バネ１１１の張力に抗して停止する。【００４１】
また、マガジンユニット１００の底面前部には、左右方向と直交する断面形状が三角形のマガジン凸部１０７が形成されている。このマガジン凸部１０７は一個のタバコパックＴの前後長と同一の前後長に形成されている。【００４２】
このため、マガジンユニット１００に収容されてスライダ部材１１０により前方に圧接された複数のタバコパックＴは、図４に示すように、最前部の一個のみ上方に突出した状態となる。【００４３】
マガジンユニット１００は、上述のように底面前部にマガジン凸部１０７が形成されているが、これより後方のスライダ部材１１０がスライド移動する範囲では底面が凸部を有しない平面からなる。【００４４】
トレーユニット２００も、図５ないし図８に示すように、上面が開口したボックス状に無色透明な樹脂で形成されている。トレーユニット２００には、複数のマガジンユニット１００が左右方向に配列された状態で収容される。ただし、マガジンユニット１００ａ，１００ｂは、前述のように前後長が相違する二種類がある。【００４５】
そこで、本実施の形態のタバコ陳列システム１０００では、前後長が大きいマガジンユニット１００ａを五個収容するトレーユニット２００ａ、前後長が大きいマガジンユニット１００ａを三個収容するトレーユニット２００ｂ、前後長が小さいマガジンユニット１００ｂを五個収容するトレーユニット２００ｃ、前後長が小さいマガジンユニット１００ｂを三個収容するトレーユニット２００ｄ、がある。【００４６】
トレーユニット２００は、底面両側にトレー凸部２０１が形成されている。ただし、トレーユニット２００は、上述のように二種類の横幅と二種類の前後長との組み合わせの四種類があるが、トレー凸部２０１と前面との距離は共通である。また、トレーユニット２００の前部にも、例えば、複数のタバコパックＴの宣伝カードなどが収容されるポケット２０２が形成されている。【００４７】
フレームユニット３００は、図９ないし図１２に示すように、一対の本体フレーム３１０と複数の支持フレーム３２０からなる。本体フレーム３１０は、前面形状が矩形の枠状となるように曲折された金属の板材からなり、一対が前後方向に配列されている。【００４８】
支持フレーム３２０は、トレーユニット２００を支持する前後方向に細長いレール状に形成された金属の板材からなり、複数が上下方向に配列されて一対の本体フレーム３１０の内側面に接合されている。【００４９】
ただし、トレーユニット２００は、前述のように二種類の左右幅がある。そこで、本実施の形態のタバコ陳列システム１０００では、図９ないし図１２に示すように、左右幅が大きいトレーユニット２００ａ，２００ｃを三個保持するフレームユニット３００ａ、左右幅が大きいトレーユニット２００ａ，２００ｃを二個保持するフレームユニット３００ｂ、左右幅が小さいトレーユニット２００ｂ，２００ｄを三個保持するフレームユニット３００ｃ、左右幅が小さいトレーユニット２００ｂ，２００ｄを二個保持するフレームユニット３００ｄ、がある。【００５０】
フレームユニット３００は、支持フレーム３２０にガイド凹部３２１が形成されている。このガイド凹部３２１にトレーユニット２００のトレー凸部２０１が係合する。なお、前述のようにトレーユニット２００は二種類の前後長があるが、その前面からトレー凸部２０１までの距離は共通である。【００５１】
また、四種類のフレームユニット３００も、その各々の前面からガイド凹部３２１までの距離は共通である。このため、図１および図１３に示すように、フレームユニット３００に保持されたトレーユニット２００の前面の位置は同一となる。【００５２】
さらに、図１４(ａ)に示すように、フレームユニット３００は、交互に前後反転されて本体フレーム３１０が前後方向に隣接する配置で複数が左右方向に配列されると、各々のガイド凹部３２１の前後位置が同一となる。【００５３】
つまり、複数のフレームユニット３００を左右方向に配列するとき、その奇数番目と偶数番目で交互に前後を反転させ、本体フレーム３１０が前後方向に隣接するように配置すると、各々のガイド凹部３２１の前後位置が同一となる。従って、このように配置されたフレームユニット３００にトレーユニット２００が装着されても、図１４(ｂ)に示すように、その前面の位置は同一となる。【００５４】
なお、図９ないし図１２に示すように、フレームユニット３００は、本体フレーム３１０の上面両側と下面両側とに、フレーム連結機構となる面ファスナ３１１が装着されている。【００５５】
また、本体フレーム３１０の下面中央には、フレーム凹部となるフレーム貫通孔３１３が形成されている。本体フレーム３１０の上面中央には、フレーム凸部となる凸部材３１４が装着されている。【００５６】
そこで、本実施の形態のタバコ陳列システム１０００では、図１に示すように、横幅が同一の複数のフレームユニット３００を上下方向に設置すると、その複数のフレームユニット３００が面ファスナ３１１により連結される。このとき、フレーム貫通孔３１３と凸部材３１４とが係合する。【００５７】
また、本実施の形態のタバコ陳列システム１０００は、図１５に示すように、前述のように交互に前後反転されて左右方向に配列された複数のフレームユニット３００を保持する左右連結機構としてクリップ部材３３１とファスナ部材３３２とを有する。【００５８】
クリップ部材３３１はバネ材により形成されており、前述のように前後方向に隣接された本体フレーム３１０を弾発的に保持する。ファスナ部材３３２は、樹脂板の下面に一対の面ファスナが装着された構造からなり、上述のように配置された複数のフレームユニット３００の上面の隣接する面ファスナ３１１に接合される。【００５９】
上述のような構成において、本実施の形態のタバコ陳列システム１０００では、図１に示すように、四種類のフレームユニット３００ａ〜３００ｄ、四種類のトレーユニット２００ａ〜２００ｄ、二種類のマガジンユニット１００ａ，１００ｂ、を利用者が所望により自在に組み合せることができる。【００６０】
このため、本実施の形態のタバコ陳列システム１０００は、設置する空間に対応した外形とすることができ、空間を有効に利用することができる。特に、タバコパックＴを五列に保持する幅広のフレームユニット３００ａ，３００ｂと三列に保持する幅狭のフレームユニット３００ｃ，３００ｄとがあるので、設置スペースの左右幅に良好に対応することができる。【００６１】
さらに、タバコパックＴを三行に保持する背高のフレームユニット３００ａ，３００ｃと二行に保持する背低のフレームユニット３００ｂ，３００ｄとがあるので、設置スペースの上下高にも良好に対応することができる。【００６２】
なお、フレームユニット３００ａ〜３００ｄは、横幅が同一の組み合わせで上下方向に連結される。ただし、左右方向に配列するフレームユニット３００ａ〜３００ｄの組み合わせに制限はない。【００６３】
トレーユニット２００ａ〜２００ｄは、左右幅が対応したフレームユニット３００ａ〜３００ｄに保持される。ただし、フレームユニット３００に保持させるトレーユニット２００の前後長に制限はない。【００６４】
また、フレームユニット３００には二個または三個のトレーユニット２００が保持される。フレームユニット３００に保持させるトレーユニット２００の最少個数に制限はない。【００６５】
マガジンユニット１００ａ，１００ｂは、前後長が対応したトレーユニット２００ａ〜２００ｄに保持される。ただし、トレーユニット２００にマガジンユニット１００を保持させることなく、タバコカートンＫやキャンペーンパックＰの簡易什器Ｆなどを直接に保持させることもできる。つまり、マガジンユニット１００に収容できない形状のタバコカートンＫや簡易什器Ｆなどでも陳列することができる。【００６６】
本実施の形態のタバコ陳列システム１０００では、上述のようにフレームユニット３００とトレーユニット２００とマガジンユニット１００との各々が複数種類であり、それらの組み合わせの自由度が極めて高い。【００６７】
このため、タバコパックＴを販売する店舗が所望により陳列形態を自在に変更することができる。従って、設置場所にもタバコパックＴの陳列形態にも柔軟性があるので、訴求効果が高い売場を演出するようなことができる。【００６８】
店舗が積極的にタバコパックの陳列形態を工夫して訴求効果が良好な売場を構築することができる。さらに、店舗にタバコパックＴを供給する企業も、新規な陳列形態を提案するようなこともできる。【００６９】
しかも、フレームユニット３００は、面ファスナ３１１により上下方向に接合される。このため、工具などを必要とすることなく簡単に複数のフレームユニット３００を上下方向に連結することができる。【００７０】
さらに、上述の面ファスナ３１１として自動車部品の接合などに利用されている製品を使用することができる。その場合、面ファスナ３１１により複数のフレームユニット３００を強固に連結することができる。【００７１】
このため、全体に大型で強固なタバコ陳列システム１０００を、小型で軽量なフレームユニット３００により、簡単に構築することができる。特に、収容するタバコパックＴは軽量なので、タバコ陳列システム１０００は相対的に高強度となる。【００７２】
さらに、上述のように複数のフレームユニット３００を上下方向に連結させるとき、下側のフレームユニット３００の一対の凸部材３１４が上側のフレームユニット３００の一対のフレーム貫通孔３１３に係合する。このため、上下方向に連結される複数のフレームユニット３００の前後左右の相対位置を簡単かつ確実に適正とすることができる。【００７３】
また、本実施の形態のタバコ陳列システム１０００では、図１５に示すように、前述のように交互に前後反転されて左右方向に配列された複数のフレームユニット３００を、クリップ部材３３１とファスナ部材３３２とで左右方向にも連結することができる。【００７４】
このため、工具などを必要とすることなく簡単に複数のフレームユニット３００を左右方向にも連結することができる。しかも、前述のようにフレームユニット３００を上下方向に連結するための面ファスナ３１１を左右方向への連結にも利用するので、部品の利用効率が良好である。【００７５】
本実施の形態のタバコ陳列システム１０００は、各部を分解した状態で搬入し、工具を使用することなく組み立てることができる。従って、搬入や設置を迅速に省スペースで実行することができる。【００７６】
例えば、２４時間営業のコンビニエンスストアなどでは、タバコ陳列システム１０００の搬入や設置を、顧客に店舗を開放している状態で実行する必要がある。しかし、タバコ陳列システム１０００は、上述のように搬入や設置を迅速に省スペースで実行することができるので、コンビニエンスストアなどの販売業務を阻害することがない。【００７７】
さらに、前述のようにフレームユニット３００にトレーユニット２００を保持させると、そのガイド凹部３２１にトレー凸部２０１が係合する。このため、トレーユニット２００がフレームユニット３００に簡単かつ確実に適正な位置で保持される。【００７８】
しかも、トレーユニット２００は前後長が相違する複数種類があるが、その前面からトレー凸部２０１までの距離は共通である。また、複数種類のフレームユニット３００も、その前面からガイド凹部３２１までの距離は共通である。このため、複数種類のフレームユニット３００に複数種類のトレーユニット２００を保持させても、そのトレーユニット２００の前面の位置は同一となる。【００７９】
しかも、前述のように左右方向に複数のフレームユニット３００が配列されるとき、その前後を交互に反転させても支持フレーム３２０のガイド凹部３２１の前後位置は同一となる。【００８０】
このため、上述のように左右方向に配列された複数のフレームユニット３００にトレーユニット２００を保持させても、そのトレーユニット２００の前面の位置は同一となる。【００８１】
従って、本実施の形態のタバコ陳列システム１０００では、複数のユニット１００〜３００で保持されて陳列されるタバコパックＴの前面の位置を同一とすることができ、美麗にタバコパックＴを陳列することができる。【００８２】
特に、マガジンユニット１００は、収容された複数のタバコパックＴをスライダ部材１１０により前方に押圧する。このため、複数のマガジンユニット１００に収容しているタバコパックＴを、共通の位置に自動的に陳列することができる。【００８３】
しかも、マガジンユニット１００は、収容している複数のタバコパックＴをマガジン凸部１０７により最前部の一個のみ上方に突出させる。このため、収容されている複数のタバコパックＴから一個を容易に取り出すことができる。【００８４】
従って、タバコ陳列システム１０００を顧客に対面する売場に設置することにより、顧客にタバコパックＴ等を良好に陳列しながら、顧客に所望のタバコパックＴ等を取り出させることができる。【００８５】
また、マガジンユニット１００は、図３に示すように、後方にスライド移動させたスライダ部材１１０をストッパ段部１０５に係合させることにより、板バネ１１１の張力に抗して停止させることができる。このため、マガジンユニット１００に複数のタバコパックＴを容易に補充することができる。【００８６】
さらに、前述のように前後が交互に反転された状態で複数のフレームユニット３００が左右方向に配列されると、左右方向に配列されている複数のフレームユニット３００の隙間を最少とすることができる。このため、タバコパックＴを陳列する密度を向上させることができる。【００８７】
また、フレームユニット３００は、トレーユニット２００を各々支持する複数の支持フレーム３２０が一対の本体フレーム３１０で上下方向に配列されて支持されており、その一対の本体フレーム３１０は複数の支持フレーム３２０で前後方向に配列されて支持されている。【００８８】
つまり、フレームユニット３００が、機能部品と構造体とを兼用した必要最小限のフレーム３１０，３２０で形成されている。このため、フレームユニット３００は生産性が良好で軽量である。【００８９】
特に、支持フレーム３２０はコ字状の断面形状に曲折されているので、高剛性である。本体フレーム３１０は枠状に閉じた形状に形成されているので、高剛性である。そして、これらのフレーム３１０，３２０が立体的に接合されている。このため、金属の棒材などで形成されていた従来の什器などに比較して、フレームユニット３００は極めて高剛性である。【００９０】
また、五個のマガジンユニット１００を保持するトレーユニット２００ａ，２００ｃは、横幅がタバコカートンＫの全長より微少に長い。従って、本実施の形態のタバコ陳列システム１０００は、図１に示すように、タバコカートンＫを横長となる状態でトレーユニット２００ａ，２００ｃに収容することもできる。【００９１】
さらに、トレーユニット２００ａ，２００ｃには、キャンペーンパックＰがセットされた簡易什器Ｆなどを載置することもできる(図示せず)。また、図１に示すように、上述の簡易什器Ｆをフレームユニット３００の上面に載置することもでき、トレーユニット２００をセットしていないフレームユニット３００の内部に配置することもできる(図示せず)。【００９２】
また、本実施の形態のタバコ陳列システム１０００は、上述のようにフレームユニット３００やトレーユニット２００やマガジンユニット１００を自由に組み合わせて組み立てることができるので、その一部を分解して清掃するようなことも容易である。【００９３】
特に、本実施の形態のマガジンユニット１００は、少なくともスライダ部材１１０がスライド移動する範囲では底面が凸部を有しない平面からなる。このため、タバコパックＴが直接に載置されて汚損しやすいマガジンユニット１００の底面を、簡単に洗浄や清掃等することができる。【００９４】
さらに、マガジンユニット１００とトレーユニット２００とが無色透明な樹脂で形成されている。このため、トレーユニット２００に収容されたタバコカートンＫや、トレーユニット２００にマガジンユニット１００で収容されたタバコパックＴを、良好に視認できる状態に陳列することができる。【００９５】
なお、現在ではタバコパックＴやタバコカートンＫはダンボール箱に梱包されて店舗に提供され、店舗でタバコ陳列システム１０００のマガジンユニット１００やトレーユニット２００に補充されている。【００９６】
しかし、タバコパックＴが充填されたマガジンユニット１００やタバコカートンＫが充填されたトレーユニット２００を店舗に提供し、店舗から空のマガジンユニット１００やトレーユニット２００を回収することもできる。この場合、店舗ではタバコパックＴやタバコカートンＫをマガジンユニット１００やトレーユニット２００に補充する作業が無用となるので、販売効率を向上させることができる。【００９７】
なお、本発明は本実施の形態に限定されるものではなく、その要旨を逸脱しない範囲で各種の変形を許容する。例えば、上記形態ではタバコ陳列システム１０００がマガジンユニット１００とトレーユニット２００とフレームユニット３００からなることを例示した。【００９８】
しかし、図１６に示すように、タバコ陳列システム１０００が、ストッカユニット４００やテーブルユニット４１０を、さらに有してもよい。ストッカユニット４００は、少なくとも上面が平坦で前面が開閉自在なボックス状に形成されている。【００９９】
テーブルユニット４１０は、上面が平坦で上下方向に扁平なボックス状に形成されている。テーブルユニット４１０は、ユニットボックス４１１にテーブル部材４１２が前後方向にスライド自在に収容されている。このため、テーブル部材４１２を前方に突出させて作業に利用することができる。【０１００】
そして、前述のようにフレームユニット３００は左右幅が二種類なので、上述のストッカユニット４００とテーブルユニット４１０とは、フレームユニット３００に対応した二種類の左右幅に形成されている。【０１０１】
このため、使用するフレームユニット３００に対応してストッカユニット４００やテーブルユニット４１０も組み合わせることができる。従って、タバコ陳列システム１０００の全体を統一感のある外観とすることができ、デッドスペースの発生を有効に防止することができる。【０１０２】
さらに、前述のようにトレーユニット２００は前後長が二種類なので、上述のストッカユニット４００とテーブルユニット４１０とは、前後長が最大のトレーユニット２００ａ，２００ｂに対応した前後長に形成されている。従って、何れのトレーユニット２００を利用する場合にも、トレーユニット２００がストッカユニット４００より外側に突出するようなことがない。【０１０３】
上述のようなストッカユニット４００を利用することにより、カウンタなどがない場所にも、タバコ陳列システム１０００を適正な状態に設置することができる。さらに、上述のようなテーブルユニット４１０を利用することにより、タバコパックＴの補充などの作業性を向上させることができ、それでいて使用しないときに邪魔となることもない。【０１０４】
なお、上述のようなストッカユニット４００やテーブルユニット４１０は、例えば、フレームユニット３００と同様に、上面と下面とに形成されている凹凸や面ファスナなどにより、上下方向に連結される構造とすることができる(図示せず)。【０１０５】
その場合、例えば、凹凸や面ファスナの位置や構造もフレームユニット３００と共通としておくことにより、ストッカユニット４００やテーブルユニット４１０にフレームユニット３００を適正に簡単かつ強固に設置することができる。【０１０６】
さらに、図１７に示すように、タバコ陳列システム１０００が、さらに演出パーツ４２０を有してもよい。この演出パーツ４２０は、例えば、断面形状がＬ字型の樹脂パネルからなる。その前面となる部分４２１は、広告や装飾となるように形成されている。【０１０７】
また、上述の部分に直交する部分４２２は、フレームユニット３００の本体フレーム３１０に吸着するマグネット４２３が装着されている。このため、フレームユニット３００の上面や側面に演出パーツ４２０を簡単に装着することができ、例えば、販売するタバコパックＴを変更したときに演出パーツ４２０を交換するようなことも容易である。なお、上述のような演出パーツ４２０も、例えば、複数種類のフレームユニット３００の上下高や左右幅に対応した全長に形成しておくことができる。【０１０８】
なお、上述のような演出パーツ４２０に面ファスナを装着しておき、その面ファスナをフレームユニット３００の上面の面ファスナ３１１に接合させてもよい。この場合、より強固に演出パーツ４２０をフレームユニット３００の上面に装着することができる。さらに、左右方向に配列されたフレームユニット３００を演出パーツ４２０により連結することもできる。【０１０９】
また、上記形態ではマガジンユニット１００にタバコパックＴを板バネ１１１の弾発力により前方に押圧するスライダ部材１１０が装着されており、トレーユニット２００にタバコカートンＫを直接に収容できることを例示した。【０１１０】
しかし、タバコカートンＫを板バネ１１１の弾発力により前方に押圧するスライダ部材１１０をトレーユニット２００に搭載することもできる。その場合、図１８および図１９に示すように、トレーユニット２００に着脱自在なスライダユニット４３０を用意する。【０１１１】
このスライダユニット４３０は、図１８に示すように、ガイドレール４３１の前後に樹脂部品４３２，４３３が装着されている。ガイドレール４３１にスライダ部材１１０がスライド自在に支持されており、このスライダ部材１１０の後部に巻回されている板バネ１１１の一端が前方の樹脂部品４３２に連結されている。また、樹脂部品４３２，４３３の下面には、物性によりトレーユニット２００に吸着する吸着部材(図示せず)が装着されている。【０１１２】
そこで、図１９に示すように、一対のスライダユニット４３０をトレーユニット２００の底面に装着することにより、そこに収容される複数のタバコカートンＫを前方に押圧してトレーユニット２００の最前部に常時位置させることができる。【０１１３】
また、上記形態ではトレーユニット２００にマガジンユニット１００でタバコパックＴを直立させて収容することを例示した。しかし、図２０に示すように、波形に曲折した形状の樹脂パネル４４０などをトレーユニット２００の底面にセットし、タバコパックＴをマガジンユニット１００とともに傾斜させた状態で収容してもよい。【０１１４】
この場合、タバコパックＴを五列に収容できるトレーユニット２００に四列しか収容できないので、収容の効率は低下する。しかし、タバコパックＴの陳列に変化を持たせることができる。【０１１５】
さらに、上記形態ではマガジンユニット１００やトレーユニット２００が無色透明な樹脂で形成されていることを例示した。しかし、蛍光色の樹脂でマガジンユニット１００などを形成しておいてもよい。【０１１６】
その場合、例えば、通常のタバコパックＴは無色透明なマガジンユニット１００に収容して陳列し、新発売などのタバコパックＴを蛍光色のマガジンユニット１００に収容して陳列するようなことができる。この場合、特定のタバコパックＴを良好にアピールすることができる。【０１１７】
また、上記形態ではフレームユニット３００にトレーユニット２００やマガジンユニット１００などでタバコパックＴやキャンペーンパックＰなどを陳列することを例示した。しかし、図２１に示すように、フレームユニット３００に着脱自在に装着されるメッシュユニット４５０でキャンペーンパックＰなどを陳列してもよい。【０１１８】
このメッシュユニット４５０は、前面形状が矩形の枠部４５１、この枠部４５１の内部空間に配置されているメッシュ部４５２、枠部４５１の下部から後方に形成されている基部４５３、を有する。【０１１９】
基部４５３はフレームユニット３００の上面に対応した左右幅および前後長に形成されている。メッシュユニット４５０の基部４５３の下面には面ファスナ(図示せず)が装着されている。この面ファスナは、フレームユニット３００の上面の面ファスナ３１１に着脱自在に装着される。【０１２０】
このようなメッシュユニット４５０をフレームユニット３００の上面に装着すると、そのメッシュ部４５２にキャンペーンパックＰをエス管Ｓで懸架するようなことができる。【０１２１】
さらに、上記形態ではタバコ陳列システム１０００がマガジンユニット１００とトレーユニット２００とフレームユニット３００からなることを例示した。しかし、図２２ないし図２６に示すように、さらにウォールユニット５００やトレーアタッチメント６００を有してもよい。【０１２２】
その場合、図２２に示すように、フレームユニット３００を利用することなくウォールユニット５００を利用してタバコ陳列システム１０００を構築することもできる。そのウォールユニット５００としては、図２３に示すように、ベースウォール５００ａとパネルウォール５００ｂとがある。【０１２３】
ベースウォール５００ａとパネルウォール５００ｂとは、前後方向に扁平な平板状のウォール部５１０を有する。ベースウォール５００ａは、ウォール部５１０の下端に台座５２０が一体に形成されており、ウォール部５１０の上端にウォール連結機構５３０が搭載されている。【０１２４】
ウォールユニット５００のウォール部５１０は、前面に所定形状の凹凸が形成されている。より具体的には、凹凸として、左右方向に連通する凹溝５１１が上下方向に所定間隔で配列された形状に形成されている。その凹溝５１１は、例えば、後部が下方に曲折したＬ字型の断面形状に形成されている。【０１２５】
パネルウォール５００ｂは、複数を上下方向に連結することができ、ベースウォール５００ａの上端に連結することもできる。そこで、所望の上下高のウォールユニット５００を形成することができる。【０１２６】
トレーアタッチメント６００ａ〜６００ｄは、図２４および図２５に示すように、トレーユニット２００ａ〜２００ｄを個々に保持する構造に形成されている。より詳細には、トレーアタッチメント６００は、フレームユニット３００の支持フレーム３２０と同一構造の支持フレーム６１０を有する。【０１２７】
その一対の支持フレーム６１０が連結フレーム６２０により下面前後で連結されている。また、支持フレーム６１０の後端には、ウォールユニット５００の凹溝５１１に着脱自在に係合する係合機構６３０が後部に形成されている。このため、ウォールユニット５００は、幅広のトレーアタッチメント６００ａ，６００ｃに対応した左右幅に形成されている。【０１２８】
タバコ陳列システム１０００は、複数のウォールユニット５００を上下方向に連結して所望の上下高とすることができる。また、そのウォールユニット５００を左右方向に配列して所望の左右幅とすることができる。【０１２９】
そして、上述のように上下左右に配列したウォールユニット５００の前面の所望の位置にトレーアタッチメント６００を装着し、そのトレーアタッチメント６００にトレーユニット２００を保持させることができる。そのトレーユニット２００にタバコカートンＫを直接に収容することもでき、マガジンユニット１００でタバコパックＴを収容することもできる。【０１３０】
さらに、図２７に示すように、上述のように上下左右に配列したウォールユニット５００を上下左右に配列したストッカユニット４００の上面に設置することもできる。また、ウォールユニット５００で構築したシステムとフレームユニット３００で構築したシステムとを並設してタバコ陳列システム１０００とすることもできる(図示せず)。【０１３１】
上述したタバコ陳列システム１０００では、全体を形成するフレームユニット３００とウォールユニット５００とで、トレーユニット２００やマガジンユニット１００が共用される。このため、タバコ陳列システム１０００を生産するメーカは、その生産性を向上させることができる。【０１３２】
さらに、タバコ陳列システム１０００を利用する店舗は、フレームユニット３００とウォールユニット５００との利用を一方から他方に切り換えるような場合でも、トレーユニット２００やマガジンユニット１００の利用を継続することができる。【０１３３】
また、複数の売場の一部ではフレームユニット３００で構築したタバコ陳列システム１０００を利用し、他部ではウォールユニット５００で構築したタバコ陳列システム１０００を利用するような場合でも、トレーユニット２００やマガジンユニット１００を共用することができる。【０１３４】
なお、上述のようなウォールユニット５００には各種のユニットを装着することができる。例えば、図２８に示すように、フレームアタッチメント７００によりウォールユニット５００の前面にフレームユニット３００を装着することもできる。【０１３５】
また、図２９に示すように、上面が開口したボックス状のバスケットユニット７１０をウォールユニット５００の前面に装着し、そのバスケットユニット７１０にタバコカートンＫなどを収容することもできる。【０１３６】
さらに、図３０に示すように、前後方向に細長いシャフトユニット７２０をウォールユニット５００の前面に装着し、そのシャフトユニット７２０にキャンペーンパックＰやタバコパックＴなどを懸架することもできる。【０１３７】
なお、現在ではタバコ陳列システム１０００に陳列されているタバコパックＴなどが販売されるとき、その販売情報が電子キャッシュレジスタ(図示せず)により収集されている。【０１３８】
また、タバコパックＴなどがタバコ陳列システム１０００に補充されるとき、その補充情報や在庫情報もハンディターミナル(図示せず)などにより収集されている。【０１３９】
しかし、このような販売情報や補充情報や在庫情報を収集する機能をタバコ陳列システム１０００に搭載することもできる。例えば、現在ではタバコパックＴなどの各種の商品にＲＦＩＤ(Radio Frequency Identification)チップ(図示せず)を搭載することが検討されている。【０１４０】
そこで、タバコ陳列システム１０００にＲＦＩＤリーダ(図示せず)を搭載することにより、タバコ陳列システム１０００でタバコパックＴの販売情報や補充情報や在庫情報を収集することが可能となる。【０１４１】
なお、上述のようなＲＦＩＤリーダは、例えば、マガジンユニット１００、トレーユニット２００、フレームユニット３００、などに搭載してもよく、マガジンユニット１００、トレーユニット２００、フレームユニット３００、などに着脱自在なユニットとしてもよい。【０１４２】
なお、タバコ陳列システム１０００を店舗に提供する場合、当然ながら店舗により必要なユニット１００〜５００の組み合わせは相違する。その場合、店舗で必要なユニット１００〜５００を検討することになるが、その検討を支援するための陳列シミュレータ８００を店舗に提供することもできる。【０１４３】
このような陳列シミュレータ８００ａは、図３１に示すように、フレームユニット３００の前面形状を所定の縮尺で模した平板状のユニット模型８１０、これと同一の縮尺で店舗のカウンタ(図示せず)の前面形状を模したカウンタ模型８２０、同一の縮尺でストッカユニット４００の前面形状を模したストッカ模型８３０、同一の縮尺でテーブルユニット４１０の前面形状を模したテーブル模型８４０、同一の縮尺で人間の前面形状を模した平板状の人間模型８５０、複数の模型８１０〜８４０がレイアウトされて着脱自在に装着されるとともに人間模型が着脱自在に装着されるレイアウト台紙８６０、からなる。【０１４４】
レイアウト台紙８６０は磁性シートで形成されており、模型８１０〜８５０はマグネットシートで形成されている。このような陳列シミュレータ８００ａが提供された店舗では、図３２に示すように、レイアウト台紙８６０に各種の模型８１０〜８３０をレイアウトすることにより、タバコ陳列システム１０００の各種ユニット１００〜５００等の組み合わせを検討することができる。【０１４５】
しかも、この陳列シミュレータ８００ａでは、統一の縮尺で人間模型８５０もあるので、タバコ陳列システム１０００と人間との相対関係も確認することができる。【０１４６】
特に、人間模型８５０は、腕部が回動自在に形成されている。このため、人間が作業できる範囲にタバコ陳列システム１０００を構築できるかなども確認することができる。【０１４７】
さらに、店舗でレイアウト台紙８６０に各種模型８１０〜８３０がレイアウトされた陳列シミュレータ８００をタバコ陳列システム１０００のメーカが回収し、そのレイアウトに対応して各種ユニット１００〜５００等をメーカが店舗に提供するようなこともできる。【０１４８】
なお、当然ながら、図３３に示すように、ウォールユニット５００の前面形状を所定の縮尺で模した平板状のユニット模型８７０を有する陳列シミュレータ８００ｂも同様に形成することができる。
【図１】
2008041358.tif 000003
【図２】
2008041358.tif 000004
【図３】
2008041358.tif 000005
【図４】
2008041358.tif 000006
【図５】
2008041358.tif 000007
【図６】
2008041358.tif 000008
【図７】
2008041358.tif 000009
【図８】
2008041358.tif 000010
【図９】
2008041358.tif 000011
【図１０】
2008041358.tif 000012
【図１１】
2008041358.tif 000013
【図１２】
2008041358.tif 000014
【図１３】
2008041358.tif 000015
【図１４】
2008041358.tif 000016
【図１５】
2008041358.tif 000017
【図１６】
2008041358.tif 000018
【図１７】
2008041358.tif 000019
【図１８】
2008041358.tif 000020
【図１９】
2008041358.tif 000021
【図２０】
2008041358.tif 000022
【図２１】
2008041358.tif 000023
【図２２】
2008041358.tif 000024
【図２３】
2008041358.tif 000025
【図２４】
2008041358.tif 000026
【図２５】
2008041358.tif 000027
【図２６】
2008041358.tif 000028
【図２７】
2008041358.tif 000029
【図２８】
2008041358.tif 000030
【図２９】
2008041358.tif 000031
【図３０】
2008041358.tif 000032
【図３１】
2008041358.tif 000033
【図３２】
2008041358.tif 000034
【図３３】
2008041358.tif 000035
【国際調査報告】
2008041358.tif 000036
2008041358.tif 000037
2008041358.tif 000038
2008041358.tif 000039